(57)【要約】【課題】主に文庫本や新書本等の小型書籍を読む際に、座位、仰臥位、横臥位等いかなる姿勢であっても書物を見開き状態のまま片手で楽に持つことができ、頁捲りも容易、かつ変形自在三脚を取り付けることにより多様な場所で安定的に自立させることも可能な手持ち式ブックホルダーを提供する。【解決手段】所要の長さの硬質線材を中心部よりＵ字型に曲成し、本載置溝６および補助アーム３を有するグリップ５を、本のサイズに合わせて摺動自在に該Ｕ字の下端部に取り付け、該線材の上部両端を４５°程度外側前方に半円弧状に曲成し開かれた左右の頁をそれぞれ拘束する保持アーム１を形成する。グリップ５の底部にネジ受け具を設け、変形自在三脚を装着できるようにする。【選択図】図１
0003196031.tif 000002
【実用新案登録請求の範囲】
【請求項１】
所要の長さの硬質線材を中心部よりＵ字型に曲成し、本載置溝および補助アームを有するグリップを、書物のサイズに合わせて摺動自在に該Ｕ字の下端部に取り付け、該線材の上部両端を４５°程度外側前方に半円弧状に曲成することにより開かれた左右の頁をそれぞれ拘束する保持アームとしたことを特徴とする手持ち式ブックホルダー。
【請求項２】
前記グリップに挿通孔を設け、前記線材を挿通することにより該グリップが上下に摺動自在としたことを特徴とする請求項１記載の手持ち式ブックホルダー。
【請求項３】
前記グリップの底部に変形自在三脚を取り付けるためのネジ受け具を設けたことを特徴とする請求項１又は２記載の手持ち式ブックホルダー。
【考案の詳細な説明】
【技術分野】
【０００１】本考案は、書物を見開き状態のまま片手で楽に持つことができ、頁捲りも容易、かつ変形自在三脚を取り付けることにより多様な場所で安定的に自立させることも可能な手持ち式ブックホルダーに関する。
【背景技術】
【０００２】従来の頁押え具を備えたブックホルダーとしては、特許文献１のように書物を立て掛けて使用する机上タイプの書見台、特許文献２のようにクリップ等で頁の側部を挟持するものが一般的であり、手持ち式ブックホルダーとしては、特許文献３のように可撓性のある帯状の部材を書物の表裏面に固着させて見開き状態を維持するものが考案されている。
【先行技術文献】
【特許文献】
【０００３】
【特許文献１】  特開平９−２９９１５５
【特許文献２】  特開２００９−１８９７５９
【特許文献３】  特開２０１０−１１１１０３
【考案の開示】
【考案が解決しようとする課題】
【０００４】本考案は、座位、仰臥位、横臥位等いかなる姿勢であっても書物を片手で楽に持つことができ、また机上等で立掛け式の書見台としても使用でき、かつ頁捲りも容易な手持ち式ブックホルダーを提供するものである。
【課題を解決するための手段】
【０００５】本考案は、所要の長さの硬質線材を中心部よりＵ字型に曲成し、本載置溝および補助アームを有するグリップを、書物のサイズに合わせて摺動自在に該Ｕ字の下端部に取り付け、該線材の上部両端を４５°程度外側前方に半円弧状に曲成することにより開かれた左右の頁をそれぞれ拘束する保持アームとしたことを特徴とする手持ち式ブックホルダーに係るものである。【０００６】また、前記グリップに挿通孔を設け、前記線材を挿通することにより、書物のサイズに合わせて該グリップを上下に摺動自在としたことを特徴とする手持ち式ブックホルダーに係るものである。【０００７】また、前記グリップの底部にネジ受け具を設け、変形自在三脚を取り付けることにより、机上等で立て掛け式の書見台として使用できるほか、片手で持ったまま該変形自在三脚を膝上や腹部など身体の一部位に固定させることにより腕や手が疲れず長時間読書を楽しむことができる手持ち式ブックホルダーに係るものである。
【考案の効果】
【０００８】請求項１に係る手持ち式ブックホルダーは、２本の保持アームとグリップの本載置溝との間に書物が見開き状態のまま拘束され、さらに該書物の下端中心部を親指で軽く押さえることにより、座位、仰臥位、横臥位等いかなる姿勢であっても該書物が横ずれしたり脱落したりすることなく、片手で楽に読書を楽しむことができ、かつ頁捲りも容易である。【０００９】請求項２に係る手持ち式ブックホルダーは、グリップに２つの挿通孔を設け、Ｕ字型に曲成した硬質線材を挿通することにより、該グリップが書物のサイズに合わせて摺動自在となる。【００１０】請求項３に係る手持ち式ブックホルダーは、前記グリップの底部に設けたネジ受け具に変形自在三脚を取り付けることにより、机上や斜面、凹凸面でも安定的に自立させることが可能となり、また片手で持ったまま膝上や腹部など身体の一部位に固定させることにより、腕や手が疲れず長時間読書を楽しむことができる。
【図面の簡単な説明】
【００１１】
【図１】手持ち式ブックホルダーの斜視図
【図２】手持ち式ブックホルダーの使用時の斜視図
【図３】手持ち式ブックホルダーの上面図
【図４】手持ち式ブックホルダーの底面図
【図５】図１における手持ち式ブックホルダーのａ〜ｂ線断面図
【図６】手持ち式ブックホルダーのグリップの右側面図
【図７】変形自在三脚使用時の手持ち式ブックホルダーの斜視図
【図８】変形自在三脚を装着し膝上に載せた手持ち式ブックホルダーの斜視図
【考案を実施するための形態】
【００１２】この手持ち式ブックホルダーは、文庫本や新書本等の小型書籍（縦１８０ｍｍ程度、厚さ２５ｍｍ程度まで）の使用を想定している。それ以上の大型書籍となれば、書物の重量とサイズによって片手で長時間持っていることが困難であるため、従来から存在する立掛け式の書見台を使用する方が良い。そのような想定に基づき、本考案の好適な実施形態について添付図面を用いて説明する。
【００１３】この手持ち式ブックホルダーは、図１に示すように、１本の硬質線材をＵ字型に曲成し、さらに上部両端を４５°程度外側前方に円弧状に曲成した保持アーム１とグリップ５、およびグリップ５から突出した補助アーム３により構成されている。保持アーム１と補助アーム３の先端にはそれぞれ保護キャップ（２，４）が装着されている。
【００１４】図２は使用時の手持ち式ブックホルダーを示したものであるが、書物は保持アーム１とグリップ５の本載置溝６との間に挟持され、また該書物の下端中心部を親指で軽く押えることにより該書物は完全に拘束され、座位、仰臥位、横臥位等いかなる姿勢であっても脱落することがない。
【００１５】次に、書物の載置方法について説明する。
一旦グリップ５を保持アームの下端まで摺動し、書物の凡その中間部を開いて背部を２本の保持アーム１の間に挿し入れ、開かれた左右の頁の上端部が保持アーム１によって拘束される位置まで該書物を押し上げる。次に、本載置溝６が該書物の背部下端に衝合する位置までグリップ５を上方に摺動し、目的の頁を開いて該当する保持アーム保護キャップ２の下に挿し入れる。このような手順で、該書物は保持アーム１と本載置溝６との間に完全に拘束される一方、頁の下端部は解放されているため頁捲りが容易である。
【００１６】図３は、手持ち式ブックホルダーを上から見た上面図である。球体状のグリップ５の上部に扇状の本載置溝６があり、ここに書物の背部下端が緩嵌合される（図５参照）。
【００１７】図４は、手持ち式ブックホルダーを下から見た底面図である。７は変形自在三脚を取り付けるためのネジ受け具である。
【００１８】図５は、比較的厚みのある書物９を載置した際の手持ち式ブックホルダーの断面図であり、３は書物９の下端部を表裏面から支える補助アームである。
【００１９】文庫本や新書本等の小型書籍には小説、実用本、写真集など様々なものが存在し、それに応じて書物の厚みや紙質が異なる。頁数の比較的少ない書物や紙質の硬い書物は閉じようとする復元力が強いため補助アームをほとんど必要としないが、図５に示すように、ある程度の厚みがあり紙質の柔らかい書物は、左右いずれか厚い方の頁がその重みによって垂れ下がり書物自体の脱落につながるため、それを書物の表裏面から支えるのが補助アーム３である。この補助アーム３は頁捲りをなんら妨げるものではない。
【００２０】次に、変形自在三脚を取り付けた場合の実施例について説明する。変形自在三脚とは、可撓性のある材質で作られたポケットサイズの小型三脚で、自由に脚部の形状を変えることができ、主にコンパクトデジタルカメラやスマートフォン用に安価で市販されている。図６はグリップ５を右側から見た側面図であるが、グリップ５の底部に変形自在三脚を取り付けるためのネジ受け具７が設けられている。
【００２１】図７は、グリップ５の底部に変形自在三脚１０を取り付け、平面に自立させた場合の手持ち式ブックホルダーを示したものである。載置された書物の重心の偏りによりバランスが崩れることがあるが、そのような場合は変形自在三脚１０の脚部を変形させ、重心を常にグリップ５の真下に維持することにより、安定的に自立させることができる。
【００２２】図８は、変形自在三脚１０をグリップ５に取り付け、左手で持ちながら膝上に載せた場合の手持ち式ブックホルダーを示したものである。このように膝上や腹部など身体の一部位に固定させることにより、腕や手が疲れず長時間読書を楽しむことができる。
【産業上の利用可能性】
【００２３】本考案は、座位、仰臥位、横臥位等いかなる姿勢であっても、手や腕が疲れず片手で長時間読書を楽しむことができる手持ち式ブックホルダーに関するものであり、そのような利点を生かした様々な用途が考えられる。【００２４】例えば、握力の衰えた高齢者の福祉器具として老人施設や図書館等に常備したり、通勤通学の電車内等で吊り革に掴まりながら読書をする際に使用したり、また、ベッド上で過ごすことの多い病院の入院患者が読書をする際の補助器具として使用したりすることもできる。また、小型三脚を取り付けることにより、書店等で書籍展示ツールとしても使用できる。
【符号の説明】
【００２５】    １    保持アーム
２    保持アーム保護キャップ
３    補助アーム
４    補助アーム保護キャップ
５    グリップ
６    本載置溝
７    変形自在三脚用ネジ受け具
８    挿通孔
９    書物
１０  変形自在三脚
【図１】
0003196031.tif 000003
【図２】
0003196031.tif 000004
【図３】
0003196031.tif 000005
【図４】
0003196031.tif 000006
【図５】
0003196031.tif 000007
【図６】
0003196031.tif 000008
【図７】
0003196031.tif 000009
【図８】
0003196031.tif 000010